(57)【要約】【課題】  表示素子の劣化を起こすことなく、簡単な構造で、色再現範囲の広い低消費電力のカラー表示装置を提供する。【解決手段】  青色光を発生する光源手段と、光源手段で発生した青色光を赤色光に変換する赤色領域と、青色光を緑色光に変換する緑色領域と、青色光をそのまま透過する青色領域が平面上に配列された色変換層と、画像信号に応じて青色光を赤色領域、緑色領域、青色領域ごとにＯＮ／ＯＦＦする画素スイッチ機構を備えることとした。【選択図】    図２
2007025621.tif 000002
【特許請求の範囲】
【請求項１】
青色光を発生する青色光源と、
前記青色光源からの光を赤色光に変換する赤色領域と、前記青色光源からの光を緑色光に変換する緑色領域と、前記青色光を透過する青色領域が、平面上に配置された色変換層と、
前記赤色領域、前記緑色領域、前記青色領域にそれぞれ対応するように形成された、前記青色光源からの光の透過と非透過を制御するスイッチ機構を備えることを特徴とするカラー表示装置。
【請求項２】
前記赤色領域に対応するように赤色波長帯域を選択的に透過する赤色カラーフィルターが設けられ、前記緑色領域に対応するように緑色波長帯域を選択的に透過する緑色カラーフィルターが設けられたことを特徴とする請求項１に記載のカラー表示装置。
【請求項３】
前記青色領域に対応するように、青色波長帯域を選択的に透過する青色カラーフィルターが設けられたことを特徴とする請求項２に記載のカラー表示装置。
【請求項４】
前記色変換層は、それぞれの着色領域の間隙に光を吸収するブラックマトリックスを備えることを特徴とする請求項１〜３のいずれか一項に記載のカラー表示装置。
【請求項５】
前記赤色領域と前記緑色領域に対応するように青色光の波長域を吸収するフィルター層が設けられたことを特徴とする請求項１に記載のカラー表示装置。
【請求項６】
前記色変換層が前記フィルター層と青色光源の間に設けられたことを特徴とする請求項５に記載のカラー表示装置。
【請求項７】
前記色変換層と前記フィルター層が透明基板に形成されたことを特徴とする請求項５または６に記載のカラー表示装置。
【請求項８】
前記スイッチ機構が前記色変換層と前記フィルター層が形成された透明基板と前記青色光源の間に設けられたことを特徴とする請求項７に記載のカラー表示装置。
【請求項９】
前記色変換層と前記フィルター層が形成された透明基板が前記スイッチ機構と前記青色光源の間に設けられたことを特徴とする請求項７に記載のカラー表示装置。
【請求項１０】
特定の偏光方向の光を透過する偏光素子が前記赤色領域や前記緑色領域を通過する青色偏光の偏光方向が交差するように、前記フィルター層の外方に設けられたことを特徴とする請求項６または７に記載のカラー表示装置。
【請求項１１】
円偏光素子が、前記フィルター層の外方に設けられたことを特徴とする請求項６または７に記載のカラー表示装置。
【請求項１２】
前記赤色領域、前記緑色領域、及び、前記青色領域を覆うように平坦化膜が設けられたことを特徴とする請求項１〜１１のいずれか一項に記載のカラー表示装置。
【請求項１３】
前記赤色カラーフィルターと前記緑色カラーフィルターとの間隙で、かつ、前記青色領域と対応しない部分には、光を吸収するブラックマトリックスが形成されたことを特徴とする請求項２に記載のカラー表示装置。
【請求項１４】
前記赤色領域は赤色蛍光体層からなり、前記緑色領域は緑色蛍光体層からなることを特徴とする請求項１〜１３のいずれか一項に記載のカラー表示装置。
【請求項１５】
前記スイッチ機構が液晶表示素子であることを特徴とする請求項１〜１４のいずれか一項に記載のカラー表示装置。
【請求項１６】
前記青色光源と前記スイッチ機構の代わりに、青色を発光する自発光型の表示素子を用いることを特徴とする請求項１〜１５のいずれか一項に記載のカラー表示装置。
【発明の詳細な説明】
【技術分野】
【０００１】
本発明は、携帯電話やモバイルコンピュータなどの携帯情報機器やデスクトップコンピュータや家庭用テレビなどの大型画像機器に用いられるカラー画像表示装置に関する。
【背景技術】
【０００２】
従来、携帯電話やモバイルコンピュータなどの携帯情報機器に用いられるカラー画像表示装置としては、小型薄型で低消費電力のカラー液晶表示装置が多用されている。また、デスクトップコンピュータや家庭用テレビなどの大型画像機器においても、高精彩で低消費電力のカラー液晶表示装置が急速に普及してきている。これらの液晶表示装置は、照明光源として白色ＬＥＤを用いることによって、従来の冷陰極管を用いる場合と比較して、より小型・薄型・長寿命で低消費電力化を実現している。一方、携帯電話に用いられている半透過型液晶表示装置では、低消費電力化をさらに促進することを目的として、カラーフィルター内部に紫外線で各々赤色、緑色、青色を発生する赤色蛍光体、緑色蛍光体、および青色蛍光体を混合するものが開示されている（例えば、特許文献１参照）。
【特許文献１】特開２００４−２８７３２４号公報（第４頁、第１図）
【発明の開示】
【発明が解決しようとする課題】
【０００３】
しかしながら、従来のカラーフィルター内部に蛍光体が混合された構成では、励起光が紫外線であるために、液晶素子内部での紫外線吸収が大きく効率が悪い上に、紫外線が液晶分子または液晶配向に悪影響を及ぼして素子劣化を促進する恐れがあった。これらを防止するためには複雑な素子構造が必要であった。
【０００４】
そこで本発明は、素子劣化を起こすことなく、簡単な構造で、色再現範囲の広い低消費電力のカラー表示装置を提供することを目的とする。
【課題を解決するための手段】
【０００５】
上記課題を解決するために本発明のカラー表示装置は、青色光を発生する青色光源と、青色光源で発生した青色光を赤色光に変換する赤色領域、青色光を緑色光に変換する緑色領域、および青色光を透過する青色領域が平面上に配置された色変換層と、画像信号に応じて青色光を赤色領域、緑色領域、青色領域の各領域に対して透過と非透過（ＯＮ／ＯＦＦ）を制御する画素スイッチ機構を備える構成とした。このような構成によって、変換された赤色光と緑色光、そして青色光を用いてカラー画像を表示するために、高効率で色再現範囲の広い画像表示ができる。ここで、赤色領域を赤色蛍光体層で、緑色領域を緑色蛍光体層で形成することにより、各蛍光体層の蛍光体の励起光として青色光が用いられることとなり、表示素子の劣化をなくすことができる。
【０００６】
また、赤色領域と緑色領域の各々の透過光に対して赤色光を透過する赤色フィルターと緑色光を透過する緑色フィルターとを設ける構成とした。このような構成によって、カラー表示に用いる赤色光と緑色光の色純度を向上させることができ、より広い色再現範囲を持ったカラー画像を表示することが可能となる。さらに、青色領域に対応するように、青色波長帯域を選択的に透過する青色カラーフィルターを設けることができる。
【０００７】
あるいは、赤色領域と緑色領域に対応するように青色光の波長域を吸収するフィルターを設けることとした。これによって、カラーフィルターを用いなくとも色純度の良好な表示が可能になる。
【０００８】
さらに、特定の偏光方向の光を透過する偏光素子が赤色領域や緑色領域を通過する青色偏光の偏光方向が交差するように、フィルター層の外方に設ける構成とした。あるいは、円偏光素子をフィルター層の外方に設ける構成とした。
【０００９】
ここで、画素スイッチ機構として液晶表示素子を用いることができる。あるいは、青色光源と画素スイッチ機構の代わりに、青色を発光する自発光型の表示素子、例えば、ＥＬ表示素子、有機ＥＬ表示素子を用いることができる。
【００１０】
さら本発明では、青色光を発生する青色光源は青色ＬＥＤとする。このようにすることによって、信頼性の高い、高精彩のカラー画像表示を実現できる。
【発明の効果】
【００１１】
本発明のカラー表示装置は、青色光を蛍光体によって赤色光と緑色光に変換し、変換した赤色光と緑色光、それに励起光の青色光によってカラー画像を得るために、色再現範囲の広いカラー画像を表示することができるという効果を有する。
【００１２】
さらにまた、青色光をＯＮ／ＯＦＦするスイッチ機構として液晶素子を用いることにより、受動素子としての画像の見易さを保ったままで、発光素子としての明るさを兼ね備えた低消費電力のカラー表示装置を実現できる。
【００１３】
本発明のカラー表示装置は、最も吸収されやすい青色光強度を低下させることなくカラー画像を表示することができるために、より明るいカラー画像が実現できる。
【発明を実施するための最良の形態】
【００１４】
以下に、本発明のカラー表示装置について図面を用いて説明する。図１は本発明のカラー表示装置の基本構成を示す概念図である。図示するように、青色光を発生させる光源１００の上に近接して、光の透過と非透過（ＯＮ／ＯＦＦ）を制御するスイッチ機構１１０が設けられている。また、スイッチ機構１１０に近接して色変換層１２０が設けられている。
【００１５】
このスイッチ機構１１０は、画素スイッチ１０１、１０２、１０３がマトリックス状に配列された構成である。色変換層１２０は、赤色領域１０４と緑色領域１０５と青色領域１０６がマトリックス状に配列された構成である。各画素スイッチと各色の領域はそれぞれが対応するように積層されている。図１では、色変換層１２０と青色光源１００の間に画素スイッチが設けられている。したがって、画素スイッチ１０１は赤色領域１０４に入射する青色光をＯＮ／ＯＦＦし、画素スイッチ１０２は緑色領域１０５に入射する青色光をＯＮ／ＯＦＦし、画素スイッチ１０３は青色領域１０６に入射する青色光をＯＮ／ＯＦＦする。本実施例では、赤色領域１０４には青色光を赤色光に波長変換する赤色蛍光体が含まれており、緑色領域１０５には青色光を緑色光に波長変換する緑色蛍光体が含まれている。青色領域１０６は青色光の吸収や反射が最小になるようにして効率良く青色光が透過するように形成されている。
【００１６】
スイッチ機構１１０は、図示されていない駆動回路からの駆動電力に従って、マトリックス状に配列した画素スイッチをＯＮ／ＯＦＦさせることによって所望の画像を表示させる。これらの画像スイッチによりＯＮ／ＯＦＦされた青色光は、赤色領域１０４、緑色領域１０５、青色領域１０６を透過することによって、画像中の赤色情報、緑色情報、青色情報を個別に表示させることが可能となり、その結果カラー画像の表示が可能となる。
【００１７】
図１には示されていないが、色変換層１２０の上に近接してカラーフィルターを配しても良い。このカラーフィルターには、赤色領域に対応して赤色フィルターが、緑色領域に対応して緑色フィルターが設けられている。このような構成によって、蛍光体によって波長変換できなかった青色光成分を除去することが可能となるため、赤色光と緑色光の色純度を向上させることができ、その結果色再現範囲を広げることができる。
【００１８】
スイッチ機構１１０としては、良く知られている液晶素子や、ＥＣ素子や、メカニカルスイッチアレイ素子などを用いることができる。青色光源１００としては、一様な面状の青色光を発生させる面光源が好ましい。
【００１９】
また、青色単色画像表示が可能な有機ＥＬ素子やＥＬ素子は、光源１００とスイッチ機構１１０とを兼ねた機能を備えることになる。
【００２０】
以下に、スイッチ機構として液晶素子を用いた実施例に関して図面を参照しながら説明する。
【実施例１】
【００２１】
図２に本実施例の表示装置の断面構成を模式的に示す。図示するように、液晶素子は、ガラス基板１ａと対向基板１ｂの間隙に液晶層４が封入された構成である。ガラス基板１ａには透明電極３ａＲ、３ａＧ、３ａＢ、及び、この透明電極の上に配向膜２ａが形成されている。一方、対向基板１ｂ上には赤色蛍光体層５Ｒと緑色蛍光体層５Ｇが形成されている。青色画素表示領域を除くこれら蛍光体層の間隙にはブラックマトリックス６が形成されている。赤色蛍光体層５Ｒ、緑色蛍光体層５Ｇ、ブラックマトリックス６の形成領域は、平坦化層７によって平坦化されている。平坦化層７の上には、透明電極３ａＲ、３ａＧ、３ａＢに対向して画素電極を形成する透明電極３ｂＲ、３ｂＧ、３ｂＢが設けられている。そして、これらの透明電極３ｂＲ、３ｂＧ、３ｂＢの上にも配向膜２ｂが形成されている。このような表面構造のガラス基板１ａと対向基板１ｂは、成膜面が向き合うようにしてスペーサ８を介して所定の間隙で接合されている。図示されていないが、この間隙を形成するために、スペーサ８の内部や、基板間に所定の粒径を持ったビーズを散布する場合が多い。そして、この基板間隙に液晶層４が封入されている。この液晶層４の液晶分子の初期配向は、配向膜２ａ、２ｂによって規制されている。
【００２２】
この液晶素子を照明するために照明装置が設けられている。図２では照明装置としてバックライトが用いられている。本実施例ではバックライトの光源として青色ＬＥＤ１０を用いている。青色ＬＥＤ１０の発光波長は一般的には４５０〜４７５ｎｍである。青色ＬＥＤ１０から出射された青色光は、透明な導光板１１の内部を伝播して、液晶側表面である光出射面から液晶素子側に一様に照射される。ここで、導光板の背面側に、光照射効率を向上させるための反射板１２が設けられている。導光板１１の表面に形成するプリズムの位置と形状によっては反射板１２を省略しても良い。また、光拡散シート１３が導光板と液晶素子の間に設けられている。光拡散シート１３は表面に微細な凹凸形状が形成されたり、ビーズが塗布されたりしており、これによって光を拡散する作用を備えている。また、光拡散シート１３と液晶素子の間に光出射方向を制御するプリズムシート１４が設けられている。プリズムシート１４には、その裏面に複数の微細プリズムが整列して形成されたものであり、このプリズムによって光出射方向を制御する作用を有する。微細プリズムの形状は、断面が略直角三角形で、稜線が導光板１１の光入射面に平行である。プリズムシート１４としては、微細プリズムの稜線が互いに直交した２枚のプリズムシートを用いても良い。以上説明したバックライトは、光源として青色ＬＥＤのみを用いているために、液晶素子には均一な青色光を照射する光源となる。
【００２３】
このような構成のバックライトから液晶素子に向けて照射された青色光は、偏光板９ａで特定の偏光成分だけが透過される。このとき、透明電極３ａＲ、３ａＧ、３ａＢと透明電極３ｂＲ、３ｂＧ、３ｂＢとの間に駆動電圧が印加されていない状態で画素を透過した光が偏光板９ｂを透過するように偏光板を配する場合をノーマリーホワイト、同様の光が偏光板９ｂを透過しないように偏光板を配する場合をノーマリーブラックと呼ぶ。ノーマリーホワイトの場合は、透明電極３ａＲ、３ａＧ、３ａＢと透明電極３ｂＲ、３ｂＧ、３ｂＢとの間に所定の駆動電圧が印加されたとき偏光板９ｂで光が透過しなくなり、一方そのときノーマリーブラックの場合は偏光板９ｂを光が透過するようになる。すなわち、図２で示した液晶素子は、駆動電圧を制御することによって青色光のＯＮ／ＯＦＦを行うスイッチ手段として作用する。以下では、液晶素子がノーマリーホワイトで形成されている場合を説明する。
【００２４】
図２において、透明電極３ａＲと透明電極３ｂＲに駆動電圧が印加されている場合、バックライトからの青色光は、偏光板９ａ、ガラス基板１ａおよびこれら透明電極と液晶層４を透過して赤色蛍光体層５Ｒで波長変換されて赤色光となり、その赤色光はガラス基板１ｂと偏光板９ｂを透過して観測される。すなわち、このときこの画素領域で観測される色は赤色となる。同様にして、緑色蛍光体層５Ｇに到達した青色光は波長変換されて緑色光となって観測される。また、透明電極３ａＢと透明電極３ｂＧを透過した青色光は偏光板１ｂを透過した後、そのまま青色光として観測される。この赤色蛍光体層５Ｒからなる赤色領域と、緑色蛍光体層５Ｇからなる緑色領域と、青色光をそのまま透過する青色領域とが一組となって画素を形成し、これらの領域に対応する液晶層４に印加する電圧を変調することによって、この画素の表示する色度が決定される。そして、このとき赤色、緑色、青色は蛍光体発光によって得られるために輝度が高く、その結果より広い色再現が可能となる。
【００２５】
赤色蛍光体層５Ｒ及び、緑色蛍光体層５Ｇを構成する材料としては、基体、付活体及び溶剤からなる。基体は亜鉛、カドミニウム、マグネシウム、シリコン、イットリウム等の希土類元素等の酸化物、硫化物、珪酸塩、バナジン酸等の無機蛍光体又はフルオレセイン、エオシン、油類（鉱物油）等の有機蛍光体から選択される。付活体は、銀、銅、マンガン、クロム、ユウロピウム、亜鉛、アルミニウム、鉛、リン、砒素、金から選択される。溶剤は塩化ナトリウム、塩化カリウム、炭酸マグネシウム、塩化バリウムから選択される。例えば、赤色蛍光体層５Ｒを形成する材料としては、希土類元素としてＥｕを添加したＳｒＳやＣａＳやＣａAｌＳｉＮ３を用いることができ、また、緑色蛍光体層５Ｇを形成する材料としては、例えば、希土類元素としてＥｕを添加したＳｒＧａ２Ｓ４やＣｅを添加したＣａ３Ｓｃ２Ｓｉ３Ｏ１２を用いることができる。なお、図２に示すように、各画素領域の隙間には、そこから照明光が漏れて色純度を落とさないようにブラックマトリックス６が形成されている。
【実施例２】
【００２６】
図３に本実施例の表示装置の断面構成を模式的に示す。本実施例は、赤色領域に対応して赤色カラーフィルター１５Ｒが、緑色領域に対応して緑色カラーフィルター１５Ｇが、青色領域に対応して青色カラーフィルター１５Ｂが形成されている点で実施例１と異なっている。このカラーフィルターは、各々赤色光波長帯域、緑色光波長帯域、青色波長帯域だけを選択的に透過するような顔料または色素を高分子母材に含有させたものを各色領域に対応して形成されたものである。図示するように、本実施例では、カラーフィルター１５Ｒ、１５Ｇ、１５Ｂは第二平坦化層１６で平坦化されており、その上に赤色蛍光体層５Ｒと緑色蛍光体層５Ｇとが形成されている。また、ブラックマトリックス６は、各カラーフィルターの間隙に形成されている。
【００２７】
赤色蛍光体層５Ｒや緑色蛍光体層５Ｇが青色光をそれぞれ赤色光や緑色光に波長変換する効率は１００％ではなく、また波長変換された光は有限ではあるが広い波長帯域を持っているために、赤色光や緑色光に対する色純度が低くなる。従って、これら蛍光体層５Ｒや５Ｇで波長変換された光を再びカラーフィルター１５Ｒや１５Ｇに通すことによって、色純度を高くすることが可能となり、その結果本発明の表示素子の色再現範囲が広くすることができる。なお、青色ＬＥＤからの光の色純度は極めて高いために、青色カラーフィルター１５Ｂは省略しても良い。
【００２８】
上述した２つの実施例においては、各蛍光体層は視点側の透明電極３ｂＲ、３ｂＧ、３ｂＢの真上に配置したが、裏面側透明電極３ａＲ、３ａＧ、３ａＢの真下に配しても良いことは言うまでもない。液晶素子として単純マトリックス型液晶素子を用いた場合を示したが、ＴＦＴ液晶素子など、その他の液晶素子を用いても良いことは言うまでもない。また、各実施例では示していないが、青色領域に赤色蛍光体層５Ｒや緑色蛍光体層５Ｇとほぼ同程度の膜厚をもった透明なダミー層を形成することによって、平坦化層７による蛍光体層領域の平坦化をより良くすることができる。
【実施例３】
【００２９】
図４に本実施例の表示装置の断面構成を模式的に示す。本実施例は、各色のカラーフィルターを設けずに、青色波長（４５０〜４８０ｎｍ）をカットするブルーマスク６Ｂを備えている点で実施例２と異なっている。ブルーマスク６Ｂは、青色領域のみ穴が開いており、それ以外の赤色領域と緑色領域上には存在している。したがって、赤色領域と緑色領域を通過した光に含まれる青色領域の波長成分が、このブルーマスク６Ｂでカットされる。すなわち、実施例２の赤色カラーフィルター１５Ｒと緑色カラーフィルター１５Ｇと同等の作用が得られることとなる。このような構成にすれば、カラーフィルター層が削減でき、製造工程の簡便化をはかる事が可能となる。
【００３０】
ブルーマスク６Ｂは、４５０ｎｍから４８０ｎｍにピーク波長を有する、いわゆる青色の可視光をカットするような透過特性を有する。例えばイソインドリノン系の黄色の顔料を透明樹脂に分散させ、パターニングすることで形成可能である。パターニングの手法としては、スクリーン印刷工法や、フォトリソ工法を用いればよい。
【実施例４】
【００３１】
図５に本実施例の表示装置の断面構成を模式的に示す。本実施例では、蛍光体層付き透明基板１８が液晶表示素子の上方に配置されている。図示するように、蛍光体層付き透明基板１８は赤色蛍光体層５Ｒと緑色蛍光体層５Ｇを透明基板１７に選択的に膜付けし、更に反対側の面にブルーマスク６Ｂを膜付けしたものである。透明基板１７はアクリル樹脂やガラス基板等の透明な板であればよい。また、赤色蛍光体層５Ｒと緑色蛍光体層５Ｇとブルーマスク６Ｂはドットパターン等にパターニングする必要があるが、スクリーン印刷工法や、フォトリソ工法により可能である。また青色光全てを色変換できるような赤色蛍光体層５Ｒ及び緑色蛍光体層５Ｇの厚みを持たせることができれば、ブルーマスク６Ｂは必ずしも必要ではなく、省略することも可能である。
【００３２】
図６は、蛍光体層付き透明基板１８のブルーマスク６Ｂの配置を蛍光体層と同じ側にした場合の構成を示している。すなわち、透明基板１７にブルーマスク６Ｂをパターニングし、その上に赤色蛍光体層５Ｒ及び緑色蛍光体層５Ｇをパターニングする構成とし、蛍光体層を液晶表示装置に対向するように配置した。このような構成とすることで、透明基板１７をカバーとして使用することができ、液晶表示装置を外部衝撃等から守ることが可能となる。更に、蛍光体層上や透明基板１７の反対面にＡＲ等の反射防止膜を形成することで、外光の影響を受けづらい表示装置の提供が可能となる。
【００３３】
図７は、蛍光体層付き透明基板１８を液晶表示素子とバックライトの間に配置した構成を示している。青色光は他の可視光と比較して波長が短いため減衰が大きい。そのため、蛍光体層は光源になるべく近い場所に配置するほうが有利であり、本構成が光の利用効率という面からは理想的である。蛍光体層付き透明基板１８のブルーマスク６Ｂの位置は、蛍光体層と対向面でも良いし、蛍光体層の下でも良いし、ブルーマスク６Ｂがなくても良い。
【実施例５】
【００３４】
図８に本実施例の表示装置の断面構成を模式的に示す。図示するように、本実施例は、蛍光体層付き透明基板１８を液晶表示素子装置の上方に配置し、更にその上に偏光素子１９及び円偏光素子２０を配置し、更に青色用拡散層２１を青色透過エリアに配置した構成である。
【００３５】
青色ＬＥＤ１０が発光した青色光は、液晶表示素子を通り、直線偏光成分の青色光となる。その青色光が例えば、赤色蛍光体層５Ｒに入射すると、一部分は赤色光として発色するが、残りの分は青色の偏光として透過する。透過した青色偏光は、ブルーマスク６Ｂによって吸収されるが、完全に吸収することは不可能であり、微量ではあるが透過してしまう。そのため、赤色としての色純度を落とす結果となってしまう。そこで、特定の偏光方向の光を透過する偏光素子１９を青色偏光と偏光方向が交差するように配置した。これにより、青色偏光をカットすることができる。赤色蛍光体層５Ｒから発光する光は、偏光していない光であるため、偏光素子１９が存在しても半分は透過する。緑色蛍光体層５Ｇでも同様の現象が起きる。また、青色透過エリアに青色拡散層２１を配置することにより、青色偏光は偏光ではなくなり無偏光光となる。したがって、偏光素子１９が存在してもやはり半分は透過する。
【００３６】
更に、外光が赤色蛍光体層５Ｒや緑色蛍光体層５Ｇに入るあたると、ブルーマスク６Ｂでカットしきれなかった光が励起光となって発光したり、蛍光層の表面で反射することで常時点灯の状態が発生したり、黒色の表現が困難となる。そこで、円偏光素子２０を蛍光体層付き透明基板１８の外方に配置することで、外光を円偏光に偏光し、蛍光層の表面で反射してきた光を円偏光素子２０によってカットすることとした。すなわち、蛍光体層付き透明基板１８の外方に外光カット機能を持たせる構成とした。偏光素子１９及び円偏光素子２０により外光の入光が半減するため、外光によって励起発光する成分も減少する効果がある。
【図面の簡単な説明】
【００３７】
【図１】本発明の概念を説明する模式図である。
【図２】本発明によるカラー表示装置の構成を模式的に示す断面図である。
【図３】本発明によるカラー表示装置の構成を模式的に示す断面図である。
【図４】本発明によるカラー表示装置の構成を模式的に示す断面図である。
【図５】本発明によるカラー表示装置の構成を模式的に示す断面図である。
【図６】本発明によるカラー表示装置の構成を模式的に示す断面図である。
【図７】本発明によるカラー表示装置の構成を模式的に示す断面図である。
【図８】本発明によるカラー表示装置の構成を模式的に示す断面図である。
【符号の説明】
【００３８】
１ａ  ガラス基板
１ｂ  対向基板
２  配向膜
３  透明電極
４  液晶層
５Ｒ  赤色蛍光体層
５Ｇ  緑色蛍光体層
６  ブラックマトリックス
６Ｂ  ブルーマスク
７  平坦化層
８  シール
９ａ、９ｂ  偏光板
１０  青色ＬＥＤ
１１  導光板
１２  反射板
１３  拡散板
１４  プリズムシート
１５Ｒ  赤色フィルター
１５Ｇ  緑色フィルター
１５Ｂ  青色フィルター
１７  透明基板
１８  蛍光体層付き透明基板
１９  偏光素子
２０  円偏光素子
２１  青色用拡散層
１００  青色光源
１１０  スイッチ機構
１２０  色変換層
【図１】
2007025621.tif 000003
【図２】
2007025621.tif 000004
【図３】
2007025621.tif 000005
【図４】
2007025621.tif 000006
【図５】
2007025621.tif 000007
【図６】
2007025621.tif 000008
【図７】
2007025621.tif 000009
【図８】
2007025621.tif 000010